(57)【要約】【課題】  柱省略した広い連続空間を形成するユニット建物において、柱省略に起因する強度低下を簡易に補強すること。【解決手段】  柱１１と床梁１２と天井梁１３を接合した建物ユニット１０、２０を隣接設置して構築されるユニット建物１Ａにおいて、相隣る複数の建物ユニット２０のそれぞれに定めた柱省略コーナー部を柱省略接合部２にて互いに突き合せ配置し、相隣る建物ユニット２０の柱省略接合部２を含む同一面内で該柱省略コーナー部に交差配置されている天井梁１３を継ぎ天井梁２１とし、相隣る建物ユニット２０の柱省略接合部２にて相対する継ぎ天井梁２１同士を接合してなるもの。【選択図】  図４
2005248689.tif 000002
【特許請求の範囲】
【請求項１】
柱と床梁と天井梁を接合した建物ユニットを隣接設置して構築されるユニット建物にお
いて、
相隣る複数の建物ユニットのそれぞれに定めた柱省略コーナー部を柱省略接合部にて互
いに突き合せ配置し、
相隣る建物ユニットの柱省略接合部を含む同一面内で該柱省略コーナー部に交差配置さ
れている天井梁を継ぎ天井梁とし、
相隣る建物ユニットの柱省略接合部にて相対する継ぎ天井梁同士を接合してなることを
特徴とするユニット建物。
【請求項２】
前記建物ユニットを構成する継ぎ天井梁の断面強度を、当該建物ユニットの他の天井梁
の断面強度より高くする請求項１に記載のユニット建物。
【請求項３】
前記継ぎ天井梁の柱省略コーナー部の側の端部にエンドプレートを溶接し、相対する継
ぎ天井梁のエンドプレートとの間にスペーサを挟み、それらの継ぎ天井梁のエンドプレー
ト同士を高力ボルトで接合する請求項１又は２に記載のユニット建物。
【請求項４】
前記柱省略接合部の一方側の継ぎ天井梁の側から、他方側の継ぎ天井梁の側に延在し、
それらの継ぎ天井梁に添設される継ぎ材を設け、継ぎ材の一端側を一方側の継ぎ天井梁に
接合し、継ぎ材の他端側を他方側の継ぎ天井梁に接合する請求項１又は２に記載のユニッ
ト建物。
【請求項５】
前記両建物ユニットを下階建物ユニットとし、この下階建物ユニットの柱省略コーナー
部で、前記継ぎ天井梁に交差する天井梁を切除し、
下階建物ユニットの上に搭載した上階建物ユニットの床梁のうち、上記下階建物ユニッ
トの天井梁の切除部に対応するものを設けず、
下階建物ユニットから上階建物ユニットに渡る吹抜け空間を形成した請求項１〜４のい
ずれかに記載のユニット建物。
【請求項６】
前記両建物ユニットを下階建物ユニットとし、この下階建物ユニットの柱省略コーナー
部で、前記継ぎ天井梁に交差する天井梁の一部を切除し、
下階建物ユニットの上に搭載した上階建物ユニットの床梁のうち、上記下階建物ユニッ
トの天井梁の切除部に対応するものの該切除部に対応する一部を設けず、
下階建物ユニットから上階建物ユニットに渡る階段空間を形成した請求項１〜４のいず
れかに記載のユニット建物。
【請求項７】
請求項１〜６のいずれかに記載のユニット建物の構築方法において、柱が省略される建
物ユニットとして、柱省略コーナー部に仮柱を着脱自在としてなるものを用い、建物ユニ
ットに継ぎ天井梁を接続完了するまでは仮柱を設けておき、継ぎ天井梁の接続完了後に仮
柱を取外すことを特徴とするユニット建物の構築方法。
【請求項８】
請求項１〜６のいずれかに記載のユニット建物における継ぎ天井梁の接合方法であって
、
ボルトの先端を除く外周にガイドカラーを螺着し、ボルトの先端を相対する継ぎ天井梁
のボルト挿通孔に通し、ボルト挿通孔から突出するボルトの先端にナットを締め込み、ボ
ルト及びガイドカラーを相対する継ぎ天井梁のボルト挿通孔に引き込んでそれらボルト挿
通孔を互いに位置合せする工程と、ガイドカラーからボルトをゆるめ、ボルトの頭部と継
ぎ天井梁の間に、ガイドカラーのための回り止め部を備えるアタッチメントを介装し、ア
タッチメントに対してボルトを締め込んでガイドカラーを継ぎ天井梁のボルト挿通孔から
引き出す工程と、
相対する継ぎ天井梁の位置合せ済のボルト挿通孔にボルトを挿通し、ボルト挿通孔から
突出するボルトの先端にナットを本締めする工程とを有してなる継ぎ天井梁の接合方法。
【請求項９】
前記相対する継ぎ天井梁の間にスペーサを挟み、相対する継ぎ天井梁とスペーサのそれ
ぞれに設けたボルト挿通孔を互いに位置合せする請求項８に記載の継ぎ天井梁の接合方法
。
【発明の詳細な説明】
【技術分野】
【０００１】
本発明はユニット建物に関する。
【背景技術】
【０００２】
柱省略した広い連続空間を形成可能にするユニット建物として、特許文献１に記載の如
く、相隣る建物ユニットのそれぞれに定めた柱省略コーナー部を柱省略接合部にて互いに
突き合せ配置し、柱省略接合部の一方側の建物ユニットの天井梁の側から、他方側の建物
ユニットの天井梁の側に渡る補強梁を設け、補強梁の一端部を一方側の建物ユニットの柱
まわりに接合し、補強梁の他端部を他方側の建物ユニットの柱まわりに接合してなるもの
がある。
【特許文献１】特許3260266
【発明の開示】
【発明が解決しようとする課題】
【０００３】
特許文献１の従来技術には以下の問題点がある。
(1)両建物ユニットの柱省略接合部を含む同一面内で柱省略コーナー部に交差配置され
ている天井梁に補強梁を添設するに際し、補強梁が一方側の建物ユニットの側から他方側
の建物ユニットに渡る長尺梁となり、材料の管理、施工上の困難が大きい。
【０００４】
(2)補強梁を天井梁の外側に添設するものであり、両建物ユニットの周辺に補強梁の設
置スペースを余分に必要とする。両建物ユニットの側傍に他の建物ユニットを設置する場
合には、他の建物ユニットとの間に補強梁を配置するに足る大きな間隙を設ける必要があ
る。
【０００５】
本発明の課題は、柱省略した広い連続空間を形成するユニット建物において、柱省略に
起因する強度低下を簡易に補強することにある。
【課題を解決するための手段】
【０００６】
請求項１の発明は、柱と床梁と天井梁を接合した建物ユニットを隣接設置して構築され
るユニット建物において、相隣る複数の建物ユニットのそれぞれに定めた柱省略コーナー
部を柱省略接合部にて互いに突き合せ配置し、相隣る建物ユニットの柱省略接合部を含む
同一面内で該柱省略コーナー部に交差配置されている天井梁を継ぎ天井梁とし、相隣る建
物ユニットの柱省略接合部にて相対する継ぎ天井梁同士を接合してなるようにしたもので
ある。
【０００７】
請求項２の発明は、請求項１の発明において更に、前記建物ユニットを構成する継ぎ天
井梁の断面強度を、当該建物ユニットの他の天井梁の断面強度より高くするようにしたも
のである。
【０００８】
請求項３の発明は、請求項１又は２の発明において更に、前記継ぎ天井梁の柱省略コー
ナー部の側の端部にエンドプレートを溶接し、相対する継ぎ天井梁のエンドプレートとの
間にスペーサを挟み、それらの継ぎ天井梁のエンドプレート同士を高力ボルトで接合する
ようにしたものである。
【０００９】
請求項４の発明は、請求項１又は２の発明において更に、前記柱省略接合部の一方側の
継ぎ天井梁の側から、他方側の継ぎ天井梁の側に延在し、それらの継ぎ天井梁に添設され
る継ぎ材を設け、継ぎ材の一端側を一方側の継ぎ天井梁に接合し、継ぎ材の他端側を他方
側の継ぎ天井梁に接合するようにしたものである。
【００１０】
請求項５の発明は、請求項１〜４のいずれかの発明において更に、前記両建物ユニット
を下階建物ユニットとし、この下階建物ユニットの柱省略コーナー部で、前記継ぎ天井梁
に交差する天井梁を切除し、下階建物ユニットの上に搭載した上階建物ユニットの床梁の
うち、上記下階建物ユニットの天井梁の切除部に対応するものを設けず、下階建物ユニッ
トから上階建物ユニットに渡る吹抜け空間を形成したものである。
【００１１】
請求項６の発明は、請求項１〜４のいずれかの発明において更に、前記両建物ユニット
を下階建物ユニットとし、この下階建物ユニットの柱省略コーナー部で、前記継ぎ天井梁
に交差する天井梁の一部を切除し、下階建物ユニットの上に搭載した上階建物ユニットの
床梁のうち、上記下階建物ユニットの天井梁の切除部に対応するものの該切除部に対応す
る一部を設けず、下階建物ユニットから上階建物ユニットに渡る階段空間を形成したもの
である。
【００１２】
請求項７の発明は、請求項１〜６のいずれかに記載のユニット建物の構築方法において
、柱が省略される建物ユニットとして、柱省略コーナー部に仮柱を着脱自在としてなるも
のを用い、建物ユニットに継ぎ天井梁を接続完了するまでは仮柱を設けておき、継ぎ天井
梁の接続完了後に仮柱を取外すようにしたものである。
【００１３】
請求項８の発明は、請求項１〜６のいずれかに記載のユニット建物における継ぎ天井梁
の接合方法であって、ボルトの先端を除く外周にガイドカラーを螺着し、ボルトの先端を
相対する継ぎ天井梁のボルト挿通孔に通し、ボルト挿通孔から突出するボルトの先端にナ
ットを締め込み、ボルト及びガイドカラーを相対する継ぎ天井梁のボルト挿通孔に引き込
んでそれらボルト挿通孔を互いに位置合せする工程と、ガイドカラーからボルトをゆるめ
、ボルトの頭部と継ぎ天井梁の間に、ガイドカラーのための回り止め部を備えるアタッチ
メントを介装し、アタッチメントに対してボルトを締め込んでガイドカラーを継ぎ天井梁
のボルト挿通孔から引き出す工程と、相対する継ぎ天井梁の位置合せ済のボルト挿通孔に
ボルトを挿通し、ボルト挿通孔から突出するボルトの先端にナットを本締めする工程とを
有してなるようにしたものである。
【００１４】
請求項９の発明は、請求項８の発明において更に、前記相対する継ぎ天井梁の間にスペ
ーサを挟み、相対する継ぎ天井梁とスペーサのそれぞれに設けたボルト挿通孔を互いに位
置合せするようにしたものである。
【発明の効果】
【００１５】
（請求項１）
(a)相隣る建物ユニットのそれぞれにおいて柱省略コーナー部に交差する継ぎ天井梁同
士を接合することにて、それらの継ぎ天井梁を両建物ユニットに渡って連続する長尺梁の
如くに一本化した。従って、建物ユニットとは別個の長尺梁を用いることなく、柱省略し
たユニット建物を補強でき、材料の管理性、施工性が良い。
【００１６】
(b)建物ユニットを構成している天井梁の一部である継ぎ天井梁そのものにより、ユニ
ット建物を補強でき、建物ユニットの周辺に別個の補強部材を添設する必要がない。建物
ユニットの側傍に他の建物ユニットを設置する場合にも、他の建物ユニットの間に補強部
材のための設置間隙の如くを設ける必要がない。
【００１７】
（請求項２）
(c)ユニット建物の柱省略接合部に交差して該ユニット建物を補強する継ぎ天井梁は、
柱省略による強度低下を補うに足る程度に断面強度を高くし、他の天井梁の断面強度は標
準レベルに設定することにより、建物ユニットの全ての天井梁の断面強度をそれぞれに必
要十分なものとし、構造強度の経済を図ることができる。
【００１８】
（請求項３）
(d)相隣る建物ユニットの継ぎ天井梁のエンドプレート同士を、スペーサを介して、高
力ボルトで剛接合することにより、継ぎ天井梁同士を簡易に接合できるし、ユニット建物
の寸法精度を向上できる。
【００１９】
（請求項４）
(e)相隣る建物ユニットの継ぎ天井梁同士を、継ぎ材を介して、高力ボルトで剛接合す
ることにより、継ぎ天井梁同士を簡易に接合できるし、ユニット建物の寸法精度を向上で
きる。
【００２０】
（請求項５）
(f)下階建物ユニットの柱省略コーナー部で、継ぎ天井梁に交差する天井梁を切除し、
下階建物ユニットの上に搭載した上階建物ユニットの床梁のうち、下階建物ユニットの天
井梁の切除部に対応するものを設けないようにした。従って、継ぎ天井梁によりユニット
建物の構造強度を確保しながら、下階建物ユニットから上階建物ユニットに渡る吹抜け空
間を形成できる。
【００２１】
（請求項６）
(g)下階建物ユニットの柱省略コーナー部で、継ぎ天井梁に交差する天井梁の一部を切
除し、下階建物ユニットの上に搭載した上階建物ユニットの床梁のうち、下階建物ユニッ
トの天井梁の切除部に対応するものの該切除部に対応する一部を設けないようにした。従
って、継ぎ天井梁によりユニット建物の構造強度を確保しながら、下階建物ユニットから
上階建物ユニットに渡る階段空間を形成できる。
【００２２】
（請求項７）
(h)建物ユニットの柱省略コーナー部に設けた仮柱は、該建物ユニットの工場製造段階
、輸送保管段階を経た現地据付け後、継ぎ天井梁の接続完了まで取外されない。従って、
継ぎ天井梁の接続時の建物ユニットの強度を低下せしめることがなく、施工段階の建物強
度も十分に確保でき、施工性は良い。
【００２３】
（請求項８）
(i)ガイドカラー及びアタッチメントを用いることにより、相対する継ぎ天井梁のボル
ト挿通孔の位置ずれを矯正し、それらボルト挿通孔を容易に位置合せし、ボルトのそれら
ボルト挿通孔への挿入を容易化し、それら継ぎ天井梁を簡易に接合できる。
【００２４】
（請求項９）
(j)相対する継ぎ天井梁の間にスペーサを挟む場合にも、それら継ぎ天井梁とスペーサ
のそれぞれに設けたボルト挿通孔を容易に位置合せできる。
【発明を実施するための最良の形態】
【００２５】
図１はユニット建物を示す斜視図、図２はユニット建物を示す模式斜視図、図３は建物
ユニットを示す斜視図、図４は構法Ｉが適用された建物ユニットを示す模式正面図、図５
は構法Ｉの具体的構造を示す断面図、図６は構法IIが適用されたユニット建物を示す模式
正面図、図７は構法IIの具体的構造を示し、（Ａ）は正面図、（Ｂ）は断面図、図８は構
法IIの梁の剛性強化原理を示し、（Ａ）は梁の変形状態を示す模式図、（Ｂ）は梁単位モ
デルを示す模式図、（Ｃ）はラーメン構造体モデルを示す模式図、図９は構法IIのユニッ
トフレームの剛性強化原理を示し、（Ａ）は梁の変形状態を示す模式図、（Ｂ）はラーメ
ン構造体モデルを示す模式図、図１０は相隣る建物ユニットの構法IIIによる接合構造を
示す模式図、図１１は図１０の要部を示す断面図、図１２は建物ユニットの接合例を示す
模式図、図１３は構法IIIの変形例を示し、（Ａ）は下階建物ユニットの接合部を示す平
面図、（Ｂ）は（Ａ）のＢ−Ｂ線に沿う断面図、図１４は孔あきスペーサを示す斜視図、
図１５は構法IIIの変形例を示し、（Ａ）は下階建物ユニットの接合部を示す平面図、（
Ｂ）は（Ａ）のＢ−Ｂ線に沿う断面図、図１６は構法IIIの変形例を示し、（Ａ）は下階
建物ユニットの接合部を示す平面図、（Ｂ）は（Ａ）のＢ−Ｂ線に沿う断面図、図１７は
構法IVが適用された建物ユニットを示し、（Ａ）は最下階建物ユニットを示す正面図、（
Ｂ）は上階建物ユニットを示す正面図、図１８は構法IVのフレームの剛性強化原理を示す
模式図、図１９は構法IVのフレームの剛性強化例を示す模式図、図２０は構法IVの斜材取
付例を示す正面図、図２１は斜材の下端取付部を示し、（Ａ）は正面図、（Ｂ）は断面図
、図２２は斜材の上端部が取付けられる天井梁中間部を示す断面図、図２３は構法Ｖに係
る実施例１のユニット建物を示し、（Ａ）は継ぎ天井梁による補強前の模式平面図、（Ｂ
）は継ぎ天井梁による補強後の模式平面図、（Ｃ）は（Ｂ）の模式側面図、図２４は両建
物ユニットの接合状態を示す平面図、図２５は接合前の両建物ユニットを示す正面図、図
２６は両建物ユニットの接合部を示し、（Ａ）は梁のリップ部を省略した状態の正面図、
（Ｂ）は側面図、図２７は構法Ｖに係る実施例２のユニット建物を示し、（Ａ）は継ぎ天
井梁による補強前の模式平面図、（Ｂ）は継ぎ天井梁による補強後の模式平面図、図２８
は構法Ｖに係る実施例３のユニット建物を示し、（Ａ）は継ぎ天井梁による補強前の模式
平面図、（Ｂ）は継ぎ天井梁による補強後の模式平面図、図２９は構法Ｖに係る実施例４
の建物ユニットの接合状態を示す正面図、図３０は図２９の側面図、図３１は構法Ｖで用
いるガイドカラーを示す斜視図、図３２は構法Ｖで用いるアタッチメントを示す斜視図、
図３３は構法Ｖにおけるガイドカラー引き込み手順を示す模式図、図３４は構法Ｖにおけ
るガイドカラー引き出し手順を示す模式図である。
【実施例】
【００２６】
図１、図２のユニット建物１は、基礎１０に最下階建物ユニット２０を支持し、最下階
建物ユニット２０の上に順に上階建物ユニット３０、４０を搭載して構築されたものであ
る。
【００２７】
即ち、ユニット建物１は、複数の建物ユニット２０、３０、４０を水平方向と鉛直方向
に隣接設置して構築されるものである。建物ユニット２０（建物ユニット３０、４０も同
じ）は、図３に示す如く、角鋼管製管柱２１と、形鋼製床梁２２と、形鋼製天井梁２３を
箱形に接合した骨組構造体である。建物ユニット２０は、管柱２１の下端部にジョイント
ピース２２Ｊを介して床梁２２を溶接し、管柱２１の上端部にジョイントピース２３Ｊを
介して天井梁２３を溶接して構成される。建物ユニット２０は、床梁２２を省略できる。
【００２８】
ユニット建物１は、複数の建物ユニット２０を鉛直方向に積層して３階建等の中高層階
ユニット建物を構成することができる。また、ユニット建物１は、建物ユニット２０の少
なくとも１個のコーナー部を柱省略コーナー部としてなる柱省略建物ユニットの複数個を
隣接して接合し、各柱省略建物ユニットの柱省略コーナー部を互いに突き合せて柱省略接
合部を形成してなる柱省略ユニット建物を構成することもできる。
【００２９】
基礎１０は、図４、図５に示す如く、コンクリート製ベタ基礎１１にアンカーボルト１
２を用いて鋼製基礎構造体１３を固定し、この基礎構造体１３の上部に最下階建物ユニッ
ト２０を支持する。
【００３０】
最下階建物ユニット２０は、床梁２２を省略したものであり、４本の角鋼管製柱２１の
上端部間に形鋼製天井梁２３を架け渡し、天井梁２３の端部を柱２１の上端部に剛接合し
て構成したラーメン構造体である。柱２１の上端部にジョイント金物２３Ｊ（図７）を溶
接し、ジョイント金物２３Ｊに天井梁２３の端部が溶接される。尚、最下階建物ユニット
２０は、柱２１の下端部間に架け渡される形鋼製床梁２２を更に有し、床梁２３の端部を
柱２１の下端部に剛接合するものでも良い。
【００３１】
上階建物ユニット３０（４０も同じ）は、４本の角鋼管製柱３１（４１）の上端部間に
形鋼製天井梁３３（４３）を架け渡し、天井梁３３の端部を柱３１の上端部に剛接合する
とともに、柱３１の下端部間に形鋼製床梁３２（４２）を架け渡し、床梁３２の端部を柱
３１の下端部に剛接合して構成したラーメン構造体である。柱３１の上端部と下端部にジ
ョイント金物３３Ｊ（不図示）、３２Ｊ（図７）を溶接し、ジョイント金物３３Ｊ、３２
Ｊのそれぞれに天井梁３３、床梁３２の端部が溶接される。
【００３２】
ユニット建物１にあっては、最下階建物ユニット２０と上階建物ユニット３０の間で、
最下階建物ユニット２０の天井梁２３と上階建物ユニット３０の床梁３２が上下に重ね配
置され、上階建物ユニット３０と上階建物ユニット４０の間で、上階建物ユニット３０の
天井梁３３と上階建物ユニット４０の床梁４２が上下に重ね配置される。
【００３３】
しかるに、ユニット建物１は、構法I、II、III、IV、Ｖのそれぞれが適用されて剛性強
化される。
【００３４】
構法Iは基礎−柱剛接合構造、
構法IIは上下梁接合構造、
構法IIIは隣接柱接合構造、
構法IVは斜材補強構造、
構法Ｖは柱省略補強構造である。
【００３５】
（構法I：基礎−柱剛接合構造）（図４、図５）
構法Iは、基礎１０と最下階建物ユニット２０の間にて適用され（図１、図２）、最下
階建物ユニット２０の柱２１の柱脚２１Ｆが基礎１０に略ずれないように接合される（図
４）。
【００３６】
基礎１０は、図５に示す如く、基礎構造体１３の上端部に取付金物１４を溶接にて固定
してあり、最下階建物ユニット２０の柱脚２１Ｆに溶接にて固定した取付金具２４が高力
ボルト１５によってその取付金物１４に略ずれないように接合される。
【００３７】
構法Iによれば、ユニット建物１において、最下階建物ユニット２０の柱脚２１Ｆを基
礎１０に略ずれないように接合したことにより、基礎１０に対する柱脚２１Ｆの回転が抑
えられ、建物ユニット２０の水平剛性を向上できる。建物ユニット２０の水平剛性を上げ
るために、柱２１の断面を強化する必要がないし、中柱や水平ブレースを付加する必要も
なく、建物ユニット２０のプランの自由度を増し、コスト低減できる。
【００３８】
（構法II：上下梁接合構造）（図６〜図９）
構法IIは、最下階建物ユニット２０の天井梁２３と上階建物ユニット３０の床梁３２の
間、及び／又は上階建物ユニット３０の天井梁３３と上階建物ユニット４０の床梁４２の
間で適用される（図１、図２）。以下、最下階建物ユニット２０の天井梁２３と上階建物
ユニット３０の床梁３２の間への適用について説明する。
【００３９】
最下階建物ユニット２０の天井梁２３と上階建物ユニット３０の床梁３２の鉛直荷重（
床荷重）に対する梁の剛性強化のために、天井梁２３と床梁３２の両端部同士を剛接合部
Ｒ1、Ｒ2にて略ずれないように接合する（図６）。
【００４０】
また、最下階建物ユニット２０と上階建物ユニット３０の水平荷重に対するフレームの
剛性強化のために、上述の剛接合部Ｒ1、Ｒ2に加え、天上梁２３と床梁３２の長手方向の
中間部（本実施例では中央部）同士を剛接合部Ｒ3にて略ずれないように接合する（図６
）。
【００４１】
剛接合部Ｒ1〜Ｒ3は、図６に模式的に示した如く、４本の線材にて構成しても良いが、
図７に示すプレート５０を用いることができる。プレート５０は、天井梁２３のウエブｗ
と床梁３２のウエブｗに添設され、２本の高力ボルト５１、５１で天井梁２３のウエブｗ
に、２本の高力ボルト５２、５２で床梁３２のウエブｗに締結される。図７のプレート５
０は左右に相隣る最下階建物ユニット２０、２０の天井梁２３、２２、及び上階建物ユニ
ット３０、３０の床梁３２、３３により両側から挟まれるものを示したが、プレート５０
は各１個の建物ユニット２０、３０の天井梁２３、床梁３２に片側だけを添設するもので
も良い。プレート５０は溶接接合されるものでも良い。
【００４２】
尚、プレート５０は、天井梁２３のフランジｆと床梁３２のフランジｆに添設し、高力
ボルト又は溶接接合でそれらのフランジｆ、ｆに締結され、天井梁２３と床梁３２を略ず
れないように接合するものでも良い。
【００４３】
構法IIによれば、ユニット建物１において、上階建物ユニット３０の床梁３２と下階建
物ユニット２０の天井梁２３である、上下に重ねた２本の梁２３、３２の両端部同士を剛
接合部Ｒ1、Ｒ2によって略ずれないように接合したことにより、２本の梁２３、３２が鉛
直荷重の作用下で湾曲変形するとき、２本の梁２３、３２の両端部の位相差が抑えられる
（図８（Ａ））。これにより、２本の梁２３、３２は、各梁２３、３２の断面性能Ｉ1、
Ｉ2の和（Ｉ1＋Ｉ2）よりも大きな断面性能α（Ｉ1＋Ｉ2）を発現して剛性を強化され、
鉛直荷重に対する耐力を向上できる。尚、構法IIによるこの梁剛性強化メリットのために
は、剛接合部Ｒ3を具備することを必要としない。
【００４４】
２本の梁２３、３２だけからなる梁単体モデル（図８（Ｂ））では、本発明が適用され
ない通常モデルに対し、約2.6倍の耐力を示す。２本の梁２３、３２の両端部に柱２１、
３１が剛接合されたラーメン構造体モデル（図８（Ｃ））では、通常モデルに対し、1.3
〜1.4倍の耐力を示す。尚、図８（Ｂ）、（Ｃ）において、天井梁２３、床梁３２の中央
部の間に設けられているＳは、天井梁２３と床梁３２の隙間を埋めるスペーサであり、床
梁３２に作用した床荷重を天井梁２３に伝達可能にするものである。
【００４５】
また、構法IIでは、ユニット建物１において、上階建物ユニット３０の床梁３２と下階
建物ユニット２０の天井梁２３である、２つのラーメン構造体の上下に重ね配置された２
本の梁２３、３２の両端部同士を剛接合部Ｒ1、Ｒ2によって略ずれないように接合し、か
つ中間部同士を剛接合部Ｒ3によって略ずれないように接合したことにより、一方の建物
ユニット３０の柱３１に作用する水平荷重Ｐによって２本の梁２３、３２がＳ字変形する
とき、２本の梁２３、３２の両端部と中間部の位相差が抑えられる（図９（Ａ））。これ
により、建物ユニット２０、３０のフレーム強度が拡大し、水平荷重に対する耐力を向上
できる。
【００４６】
本発明による建物ユニット２０、３０のフレーム剛性は、本発明が適用されない通常モ
デルに対し、約1.3倍になる（図９（Ｂ））。
【００４７】
構法IIにおいて、上階建物ユニット３０の床梁３２と下階建物ユニット２０の天井梁２
３を略ずれないように接合する構造は、それらの床梁３２のウエブｗと天井梁２３のウエ
ブｗに添うプレート５０、又はそれらの床梁３２のフランジｆと天井梁２３のフランジｆ
に添うプレート５０を用いて簡易に実施できる。プレート５０をウエブｗに添設するもの
の方が、建物ユニット２０、３０のフレーム強度を向上できる。
【００４８】
（構法III：隣接柱接合構造）（図１０〜図１６）
構法IIIは、最下階建物ユニット２０、２０の相並ぶ柱２１、２１同士の間、上階建物
ユニット３０、３０の相並ぶ柱３１、３１の間、上階建物ユニット４０、４０の相並ぶ柱
４１、４１の間で適用される（図１、図２）。
【００４９】
しかるに、本実施例では、中高層階ユニット建物や柱省略ユニット建物等を構成するユ
ニット建物１において、ユニット建物１の水平剛性を上げるため、ユニット建物１内の一
部で図１０に示す如くに相隣る建物ユニット２０、２０の隙間を隔てて相並ぶ管柱２１、
２１同士を以下の如くにボルト接合する。
【００５０】
相隣る建物ユニット２０、２０の相並ぶ管柱２１、２１同士は、図１１に示す如く、そ
れらの上端部、下端部及び中間部の３位置のそれぞれにおいて、下記(1)〜(3)の如くにボ
ルト接合される。
【００５１】
(1)相隣る建物ユニット２０、２０の相並ぶ管柱２１、２１の相対する側壁２１Ａ、２
１Ａのそれぞれにボルト挿通孔６１Ａ、６１Ａを同軸的に設けるとともに、一方の管柱２
１のボルト挿通孔６１Ａを設けた側壁２１Ａの背面側の側壁２１Ｂにボルト取付操作孔６
１Ｂを設け、他方の管柱２１のボルト挿通孔６１Ａを設けた側壁２１Ａの背面側の側壁２
１Ｂにナット取付操作孔６１Ｃを設ける。ボルト挿通孔６１Ａ、６１Ａは互いに同一径を
なし、ボルト取付操作孔６１Ｂ、ナット取付操作孔６１Ｃも互いに同一径をなす。
【００５２】
(2)相隣る建物ユニット２０、２０を建築現場の基礎上に据付け、相並ぶ管柱２１、２
１の相対する側壁２１Ａ、２１Ａに設けたボルト挿通孔６１Ａ、６１Ａに同軸配置される
孔開きスペーサ６０を、それらの側壁２１Ａ、２１Ａに挟まれる隙間に設ける。
【００５３】
(3)一方の管柱２１の側壁２１Ｂに設けたボルト取付操作孔６１Ｂから挿入したボルト
６１を両管柱２１、２１のボルト挿通孔６１Ａ、６１Ａ、及び両管柱２１、２１の相対す
る側壁２１Ａ、２１Ａの間の隙間に設けた孔あきスペーサ６０のボルト挿通孔６０Ａに挿
通する。他方の管柱２１の側壁２１Ｂに設けたナット取付操作孔６１Ｃから挿入したナッ
ト６２を上記ボルト６１に螺着する。ボルト６１は、高力ボルト、本実施例ではトルシア
形の高力ボルトし、トルシア工具をナット取付操作孔６１Ｃから挿入してナット６２をボ
ルト６１に締結操作する。
【００５４】
尚、ボルト６１として、高力六角ボルトを用いることができるし、他のボルトを用いる
こともできる。
【００５５】
本実施例によれば以下の作用効果を奏する。
(a)相隣る建物ユニット２０、２０の相並ぶ管柱２１、２１同士をボルト接合すること
により合成し、両建物ユニット２０、２０からなるユニット建物１の水平剛性を合理的に
上げることができる。従って、３階建等の中高層階ユニット建物１を強化し、又は柱省略
ユニット建物１を強化できる。
【００５６】
(b)建物ユニット２０の工場生産段階では、相隣る一方の建物ユニット２０の管柱２１
にボルト挿通孔６１Ａとボルト取付操作孔６１Ｂを設け、他方の建物ユニット２０の管柱
２１にボルト挿通孔６１Ａとナット取付操作孔６１Ｃを設けるだけであり、生産性が良く
、建物ユニット２０の輸送保管段階での取扱性も良い。
【００５７】
(c)建築現場では、一方の建物ユニット２０に対し他方の建物ユニット２０を近づけて
据付け、それらのスペーサ６０は建物ユニット２０の相並ぶ管柱２１の側壁２１Ａ、２１
Ａの間に単に差し込むことにて組付けでき、建物ユニット２０の据付性、スペーサ６０の
組付性が良い。
【００５８】
(d)ボルト６１及び／又はナット６２の据付工具は、管柱２１に設けたボルト取付操作
孔６１Ｂ又はナット取付操作孔６１Ｃを用いて操作され、操作性が良い。
【００５９】
(e)高力ボルト６１を用いることにより、相隣る建物ユニット２０の相並ぶ管柱２１同
士を強固に合成し、ユニット建物１の水平剛性を向上できる。
【００６０】
(f)トルシア形の高力ボルト６１を用いることにより、ボルト６１とナット６２の締結
操作をトルシア工具により簡易に実施できる。
【００６１】
(g)相隣る建物ユニット２０、２０の相並ぶ管柱２１、２１同士を、それらの上端部、
下端部及び中間部の複数位置でボルト接合することにより、それら管柱２１同士の合成の
強化を図り、ユニット建物１の水平剛性を一層向上できる。
【００６２】
図１２（Ｂ）〜（Ｄ）の本発明によるユニット建物１の水平剛性、換言すれば建物ユニ
ット２０の柱頭に対する許容水平荷重Ｐは、本発明が適用されない通常モデル（図１２（
Ａ））の許容水平荷重Ｐａに対し1.2〜1.9倍になる。図１２（Ｂ）は管柱２１、２１同士
を上端部と下端部でボルト接合した例でＰ＝1.2Ｐａ、図１２（Ｃ）は管柱２１、２１同
士を上端部と下端部と中間部の１箇所でボルト接合した例でＰ＝1.7Ｐａ、図１２（Ｄ）
は管柱２１、２１同士を上端部と下端部と中間部の３位置でボルト接合した例でＰ＝1.9
Ｐａである。
【００６３】
図１３は、相隣る４個の建物ユニット２０のコーナー部を互いに突き合せ配置し、各建
物ユニット２０の上に上階建物ユニット３０を搭載したユニット建物１において、十字状
孔あきスペーサ７０を用い、構法IIIを適用した例である。このとき、４個の建物ユニッ
ト２０の管柱２１同士が十字状の隙間を隔てて相並び、４個の上階建物ユニット３０の柱
３１同士も十字状の隙間を隔てて相並ぶ。また、上下に相対応する建物ユニット２０と上
階建物ユニット３０の間で、建物ユニット２０の相隣る柱２１の上端部に剛接合されてそ
れらの間に架け渡される天井梁２３と、上階建物ユニット３０の相隣る柱３１の下端部に
剛接合されてそれらの間に架け渡される床梁３２が上下に重ね配置される。
【００６４】
孔あきスペーサ７０は、図１４に示す如く、桁方向に沿って配置される桁方向板７１と
、桁方向板７１の桁方向に沿う中央部の下半部に直交配置される妻方向板７２とからなる
。
【００６５】
孔あきスペーサ７０の桁方向板７１の下半部は、妻方向にて相隣る建物ユニット２０、
２０の相並ぶ柱２１、２１の相対する側壁２１Ａ、２１Ａに挟まれる隙間に設けられ、一
方の柱２１の側壁２１Ａに設けたボルト取付操作孔６１Ｂから挿入したボルト６１を両管
柱２１、２１のボルト挿通孔６１Ａ、６１Ａ、及び両管柱２１、２１の側壁２１Ａ、２１
Ａの間の隙間に設けた桁方向板７１の下半部のボルト挿通孔７１Ａに挿通し、他方の管柱
２１の側壁２１Ｂに設けたナット取付操作孔６１Ｃから挿入したナット６２を上記ボルト
６１に螺着する。また、孔あきスペーサ７０の妻方向板７２は、桁方向にて相隣る建物ユ
ニット２０、２０の相並ぶ管柱２１、２１の相対する側壁２１Ａ、２１Ａに挟まれる隙間
に設けられ、一方の管柱２１の側壁２１Ｂに設けたボルト取付操作孔６１Ｂから挿入した
ボルト６１を両管柱２１、２１のボルト挿通孔６１Ａ、６１Ａ、及び両管柱２１、２１の
側壁２１Ａ、２１Ａの間の隙間に設けた妻方向板７２のボルト挿通孔７２Ａに挿通し、他
方の管柱２１の側壁２１Ｂに設けたナット取付操作孔６１Ｃから挿入したナット６２を上
記ボルト６１に螺着する。これにより、相隣る４個の建物ユニット２０の相並ぶ管柱２１
同士をボルト接合して合成し、図１０〜図１２の実施例におけると同様に、それら建物ユ
ニット２０を含むユニット建物１の水平剛性を合理的に上げることができる。
【００６６】
孔あきスペーサ７０の桁方向板７１の上半部は、桁方向板７１の下半部から上に延長さ
れ、妻方向にて相隣る上階建物ユニット３０、３０の相並ぶ管柱３１、３１の相対する側
壁３１Ａ、３１Ａに挟まれる隙間に設けられ、一方の管柱３１の側壁３１Ｂに設けたボル
ト取付操作孔６１Ｂから挿入したボルト６１を両管柱３１、３１のボルト挿通孔６１Ａ、
６１Ａ、及び両管柱３１、３１の側壁３１Ａ、３１Ａの間の隙間に設けた桁方向板７１の
上半部のボルト挿通孔７１Ｂに挿通し、他方の管柱３１の側壁３１Ｂに設けたナット取付
操作孔６１Ｃから挿入したナット６２を上記ボルト６１に螺着する。これにより、相隣る
４個の上階建物ユニット３０の相並ぶ管柱３１同士をボルト接合して合成し、図１０〜図
１２の実施例における同様に、それら上階建物ユニット３０を含むユニット建物１の水平
剛性を合理的に上げることができる。
【００６７】
更に、ユニット建物１において、上下に重ね配置される建物ユニット２０の天井梁２３
と上階建物ユニット３０の床梁３２の一端部同士が、それらの管柱２１、３１、及び孔あ
きスペーサ７０の桁方向板７１を介して上述の如くに接合されるから、天井梁２３と床梁
３２の他端部同士の前述の構法IIの如くに略ずれないように接合することができる。２本
の梁２３、３２が鉛直荷重の作用下で湾曲変形するとき、２本の梁２３、３２の両端部の
位相差が抑えられる。これにより、２本の梁２３、３２は、各梁２３、３２の断面性能の
和よりも大きな断面性能を発現して剛性を強化され、鉛直荷重に対する耐力を向上できる
。また、一方の建物ユニット３０の柱３１に作用する水平荷重によって２本の梁２３、３
２がＳ字変形するとき、２本の梁２３、３２の両端部と中間部の位相差が抑えられる。こ
れにより、建物ユニット２０、３０のフレーム強度が拡大し、水平荷重に対する耐力を向
上できる。ユニット建物１において、構法IIと構法IIIがともに適用され、ユニット建物
１の水平剛性と上下剛性を併せ強化できる。
【００６８】
尚、図１３において、４個の建物ユニット２０のうち、桁方向片側の２個の建物ユニッ
ト２０の上部にだけ上階建物ユニット３０を搭載し、他の２個の建物ユニット２０の上部
は上階建物ユニット３０が搭載されない下屋とするユニット建物１にあっては、孔あきス
ペーサ７０の桁方向板７１を図１３（Ｂ）に２点鎖線で示す如くに上半部の桁方向片側部
分を切除する。
【００６９】
図１５は、図１３の変形例であり、相隣る２個の建物ユニット２０のコーナー部を互い
に突き合せ配置し、各建物ユニット２０の上に上階建物ユニット３０を搭載したユニット
建物１において、平板状孔あきスペーサ８０を用い、構法IIIを適用した例である。
【００７０】
相隣る建物ユニット２０、２０の相並ぶ管柱２１、２１の相対する側壁２１Ａ、２１Ａ
に挟まれる隙間に孔あきスペーサ８０の下半部を設け、図１３の実施例と同様に、それら
相並ぶ管柱２１、２１同士をボルト６１によりボルト接合し、構法IIIを構築する。
【００７１】
また、相隣る上階建物ユニット３０、３０の相並ぶ管柱３１、３１の相対する側壁３１
Ａ、３１Ａに挟まれる隙間に孔あきスペーサ８０の上半部を設け、図１３の実施例と同様
に、それら相並ぶ管柱３１、３１同士をボルト６１によりボルト接合し、構法IIIを構築
する。
【００７２】
更に、相隣る建物ユニット２０、２０の相並ぶ管柱２１、２１の相対するジョイントピ
ース２３Ｊ、２３Ｊに挟まれる隙間に孔あきスペーサ８０の下半部の突出部８１を設け、
それら相対するジョイントピース２３Ｊ、２３Ｊ同士をボルト６１によりボルト接合する
。これにより、ユニット建物１において、上下に重ね配置される建物ユニット２０の天井
梁２３と上階建物ユニット３０の床梁３２の一端部同士が、それらの柱２１、３１、及び
孔開きスペーサ８０を介して接合されるから、天井梁２３と床梁３２の他端部同士も略ず
れないように接合することにより、構法IIも構築できる。
【００７３】
図１６は、図１３の変形例であり、相隣る３個の建物ユニット２０のコーナー部を互い
に突き合せ配置し、各建物ユニット２０の上に上階建物ユニット３０を搭載したユニット
建物１において、Ｌ字状孔あきスペーサ９０を用い、構法IIIを適用した例である。
【００７４】
孔あきスペーサ９０は、桁方向に沿って配置される桁方向板９１と、桁方向板９１の一
方の縦縁に直交配置される妻方向板９２とからなる。
【００７５】
妻方向と桁方向のそれぞれにおいて、相隣る建物ユニット２０、２０の相並ぶ管柱２１
、２１の相対する側壁２１Ａ、２１Ａに挟まれる隙間に孔あきスペーサ９０の桁方向板９
１、妻方向板９２の下半部を設け、図１３の実施例と同様に、それら相並ぶ管柱２１、２
１同士をボルト６１によりボルト接合し、構法IIIを構築する。
【００７６】
また、妻方向と桁方向のそれぞれにおいて、相隣る上階建物ユニット３０、３０の相並
ぶ管柱３１、３１の相対する側壁３１Ａ、３１Ａに挟まれる隙間に孔あきスペーサ９０の
桁方向板９１、妻方向板９２の上半部を設け、図１３の実施例と同様に、それら相並ぶ管
柱３１、３１同士をボルト６１によりボルト接合し、構法IIIを構築する。
【００７７】
ユニット建物１にあっては、上下に重ね配置される建物ユニット２０の天井梁２３と上
階建物ユニット３０の床梁３２の一端部同士が、それらの管柱２１、３１、及び孔あきス
ペーサ９０の桁方向板９１又は妻方向板９２を介して接合されるから、天井梁２３と床梁
３２の他端部同士も略ずれないように接合することにより、構法IIも構築できる。
【００７８】
尚、図１６において、３個の建物ユニット２０のうち、妻方向片側の建物ユニット２０
の上部にだけ上階建物ユニット３０を搭載し、他の建物ユニット２０の上部は上階建物ユ
ニット３０が搭載されない下屋とするユニット建物１にあっては、孔あきスペーサ９０の
妻方向板９２の上半部を図１６（Ｂ）に２点鎖線で示す如くに切除する。
【００７９】
（構法IV：斜材補強構造）（図１７〜図１９）
構法IVは、最下階建物ユニット２０の柱２１の柱脚２１Ｆと天井梁２３の中間部の間、
上階建物ユニット３０（４０も同じ）の柱３１の柱脚３１Ｆと天井梁３３の中間部の間、
又は上階建物ユニット３０（４０も同じ）の柱３１の柱頭３１Ｈと床梁３２の中間部の間
で適用される（図１、図２）。
【００８０】
図１７（Ａ）は、最下階建物ユニット２０の柱２１の柱脚２１Ｆと天井梁２３の中間部
の間に、斜材１０１を設けたものである。斜材１０１は、柱２１の柱脚２１Ｆと天井梁２
３の中間部のそれぞれにピン接合される（剛接合でも可）。
【００８１】
図１７（Ｂ）は、上階建物ユニット３０の柱３１の柱脚３１Ｆと天井梁３３の中間部の
間に、斜材１０２を設けたものである。斜材１０２は、柱３１の柱脚３１Ｆと天井梁３３
の中間部のそれぞれにピン接合される（剛接合でも可）。尚、上階建物ユニット３０は床
梁３２を有しているから、柱３１の柱頭３１Ｈと床梁３２の中間部の間に上述の斜材１０
２を設けるものでも良い。
【００８２】
構法IVによれば、ユニット建物１において、最下階建物ユニット２０の柱脚２１Ｆと天
井梁２３の中間部の間に斜材１０１を設けたことにより、ラーメン構造体のフレームの１
隅である柱２１と天井梁２３の一部が斜材１０１とともに形成する直角三角形を不変形体
（不変形トラス）とする。これにより、建物ユニット２０における天井梁２３の見かけ長
さＬ2（天井梁２３の全長Ｌから不変形トラス部分Ｌ1を除いた変形部分長さＬ2）を短く
してそのフレーム剛性を強化し、水平荷重Ｐに対する耐力を向上できる（図１８）。
【００８３】
また、上階建物ユニット３０（４０も同じ）の柱脚３１Ｆと天井梁３３の中間部の間（
又は柱頭３１Ｈと床梁３２の中間部の間）に斜材１０２を設けたことにより、ラーメン構
造体のフレームの１隅である柱３１と天井梁３３の一部が斜材１０２とともに形成する直
角三角形を不変形体（不変形トラス）とする。これにより、建物ユニット３０における天
井梁３３の見かけ長さＬ2（天井梁３３の全長Ｌから不変形トラス部分Ｌ1を除いた変形部
分長さＬ2）を短くしてそのフレーム剛性を強化し、水平荷重Ｐに対する耐力を向上でき
る。
【００８４】
ラーメン構造体の柱２１と梁２３のフレーム、柱３１と梁３２、３３のフレームを生か
しながら、斜材１０１、１０２を付加するだけの簡易な構成により、上述の不変形体（不
変形トラス）を形成でき、簡易に上述のフレーム剛性の強化を実現できる。
【００８５】
斜材１０１、１０２を柱２１、３１と梁２３、３３（３２）のそれぞれにピン接合する
ことにより、ラーメン構造体のフレームの１隅に前述の不変形体（不変形トラス）を簡易
に形成でき、斜材１０１、１０２の取付仕口を簡素化できる。
【００８６】
斜材１０１、１０２のみによるフレーム剛性補強であるから、建物ユニット２０、３０
等のラーメン構造体における開口の形成などに、あまり邪魔にならず、比較的大きな開口
の形成ができる。
【００８７】
本発明による建物ユニット２０、３０（４０も同じ）のフレーム剛性は、本発明が適用
されない通常モデルに対し、1.3〜2.0倍になる。建物ユニット２０及び建物ユニット３０
（４０も同じ）において、斜材１０１、１０２を建物ユニット２０の天井梁２３、建物ユ
ニット３０の天井梁３３に接合する位置、換言すれば不変形トラス部分Ｌ1の長さを450mm
、900mmに設定したとき、建物ユニット２０、３０の許容水平荷重Ｐａは、図１９に示す
如く、斜材１０１、１０２を用いない通常モデルの許容水平荷重Ｐａ（1300kg、900kg）
に対して、建物ユニット２０では1550kg、1700kgに拡大し、建物ユニット３０では1200kg
、1400kgに拡大する。
【００８８】
尚、図１９に示す如く、最下階建物ユニット２０において、左右の柱２１の柱脚２１Ｆ
と天井梁２３の左右の中間部のそれぞれとの間に左右の斜め材１０１、１０１を設けても
良い。また、上階建物ユニット３０（４０も同じ）においても、左右の柱３１の柱脚３１
Ｆ（又は柱頭３１Ｈ）と天井梁３３（又は床梁３２）の左右の中間部のそれぞれとの間に
左右の斜材１０２、１０２を設けても良い。これによれば、左右の斜め材１０１、１０１
、１０２、１０２を最下階建物ユニット２０の天井梁２３、上階建物ユニット３０の天井
梁３３に接合して形成される不変形トラス部分Ｌ1の長さが、例えば450mmの如くに短くて
も、建物ユニット２０、３０の許容水平荷重Ｐａを2050kg、1800kgの如くに大きく拡大で
きる。
【００８９】
図２０〜図２２は、構法IVにおける斜材１０１（１０２も同じ）の具体的取付例である
。建物ユニット２０（３０、４０も同じ）は、床梁２２を備えた例であり、床梁２２と天
井梁２３の間に、斜材１０１を含む補強フレーム２５を嵌め込んでいる。
【００９０】
補強フレーム２５は、柱２１に添設される補強柱２６と、間柱２７を有し、補強柱２６
の下端部から水平に延ばした取付板２６Ａに斜材１０１の下端部を溶接等により接合する
とともに、間柱２７の上端側の側面に斜材１０１の上端部を溶接等により接合し、斜材１
０１の下端側中間部と間柱２７の下端側中間部につなぎ梁２８を架け渡し、斜材１０１の
上端側中間部と補強柱２６の上端側中間部につなぎ梁２９を架け渡して構成される。
【００９１】
補強フレーム２５は、補強柱２６及び斜材１０１の下端部を構成する取付板２６Ａを、
柱２１の柱脚２１Ｆに接合したジョイントピース２２Ｊにボルト接合し、補強柱２６の上
端部から水平に延ばした取付板２６Ｂを柱２１の柱頭２１Ｈに接合したジョイントピース
２３Ｊにボルト接合する。このとき、ジョイントピース２２Ｊに抱着される床梁２２の上
フランジとウエブの内面にはＬ字断面の床梁補強金物１０３が溶接され、斜材１０１の取
付板２６Ａはジョイントピース２２Ｊに着座し、床梁補強金物１０３、床梁２２、ジョイ
ントピース２２Ｊ、取付板２６Ａに挿通されるボルト１０４、ナット１０４Ａにより接合
される。
【００９２】
補強フレーム２５は、間柱２７の下端部を床梁２２の上フランジにボルト接合し、間柱
２７の上端部を天井梁２３の下フランジにボルト接合する。このとき、間柱２７の上端部
がボルト接合される天井梁２３の上下のフランジ間にはＣ字断面の天井梁補強金物１０５
が溶接される。
【００９３】
尚、本実施例において、「略ずれないように接合」は、「接合部が矩形を維持するよう
に接合する」、「上下の梁の重なり部分がずれないように接合する」等を意味し、剛接合
を含むが、剛接合より弱い接合も含む。また、梁の端部同士の接合は、端部の近傍におけ
る接合も含む。
【００９４】
（構法Ｖ：柱省略補強構造）（図２３〜図３４）
構法Ｖは、建物ユニット２０（３０、４０も同じ）の柱省略コーナー部で適用される（
図１、図２）。
【００９５】
（実施例１）（図２３〜図２６）
図２３のユニット建物１Ａは、図１、図２のユニット建物１の一部であり、複数の建物
ユニット２０を左右上下に隣接設置して構築されるものであるが、その一部を構成する４
個の柱省略建物ユニット１２０により柱省略した広い連続空間を形成するものである。
【００９６】
建物ユニット２０は、標準的には、図３に示した如く、４本の角鋼管製柱２１と、４本
の形鋼製床梁２２と、４本の形鋼製天井梁２３とを箱形に接合した骨組構造体である。建
物ユニット２０は、４個のコーナー部で、相交差する床梁２２をジョイントピース２２Ｊ
により柱２１の下端部に接続し、相交差する天井梁２３をジョイントピース２３Ｊにより
柱２２の上端部に接合して構成される。
【００９７】
柱省略建物ユニット１２０は、図２４、図２５に示す如く、標準建物ユニット２０の４
本の柱２１のうちの１本の柱２１を省略したものである。柱省略建物ユニット１２０は、
床梁２２については、柱省略コーナー部以外の３個のコーナー部で、相交差する床梁２２
をジョイントピース２２Ｊにより柱２１の下端部に接合し、柱省略コーナー部で、相交差
する床梁２２をジョイントピース２２Ｋにより互いに接合している。柱省略建物ユニット
１２０は、天井梁２３については、柱省略コーナー部に交差配置される天井梁２３のうち
、妻方向に沿う天井梁２３を継ぎ天井梁１２１とし、他の天井梁２３を標準天井梁２３と
し、標準天井梁２３と柱２１の上端部とはジョイントピース２３Ｊにより接合し、継ぎ天
井梁１２１と柱２１の上端部とはジョイントピース２３Ｋにより接合し、継ぎ天井梁１２
１と天井梁２３とはジョイントピース２３Ｌにより接合している。
【００９８】
柱省略建物ユニット１２０は、継ぎ天井梁１２１の断面強度を他の標準天井梁２３の断
面強度より高くしている。継ぎ天井梁１２１は、リップ付Ｃ形鋼からなり、柱省略コーナ
ー部の側の端部にエンドプレート１２２を溶接し、この端部に溶接されるジョイントピー
ス２３Ｌはエンドプレート１２２を覆うことのないように、ジョイントピース２３Ｌの側
部の一部をエンドプレート１２２の周辺に沿って切欠部１２３の如くに切欠いてある。柱
省略建物ユニット１２０にあっては、継ぎ天井梁１２１の長手方向において、ジョイント
ピース２３Ｋにより接合されている柱２１を基準位置とする、エンドプレート１２２の表
面位置の寸法精度を確保してある。
【００９９】
柱省略建物ユニット１２０は、柱省略コーナー部に仮柱１２４を着脱自在としている。
仮柱１２４は、ボルト、ピン等の着脱手段により、上述した床梁２２のジョイントピース
２２Ｋと、天井梁２３、１２１のジョイントピース２３Ｌに着脱自在に結合される。
【０１００】
ユニット建物１Ａにあっては、図２３（Ａ）に示す如く、下階部分の一部にて、４個の
柱省略建物ユニット１２０（１２０Ａ〜１２０Ｄ）のそれぞれに定めた柱省略コーナー部
を柱省略接合部２にて互いに突き合せ配置する。
【０１０１】
相対応する柱省略建物ユニット１２０Ａと柱省略建物ユニット１２０Ｂの間で、両者の
柱省略接合部２を含む同一面内でそれらの柱省略コーナー部に交差配置されている天井梁
２３を前述の継ぎ天井梁１２１とする（図２４、図２５）。このようにして両建物ユニッ
ト１２０Ａ、１２０Ｂの柱省略接合部２にて相対する継ぎ天井梁１２１のエンドプレート
１２２は一定の隙間を介して互いに平行をなす。そこで、相対する継ぎ天井梁１２１のエ
ンドプレート１２２の間に、その隙間に適応するように選択された板厚のスペーサ１１０
をその隙間の上方又は側方から挟み込む。本実施例では、エンドプレート１２２の上下に
２枚のスペーサ１１０を挟み込む。そして、相対する継ぎ天井梁２１のエンドプレート１
２２同士を、スペーサ１１０とともに、高力ボルト１１１で剛接合する（図２６）。高力
ボルト１１１は、相対するエンドプレート１２２のボルト挿通孔１２２Ａとスペーサ１１
０のボルト挿通孔１１０Ａに挿通され、その挿通端にナット１１２を締結される。本実施
例では、１枚のスペーサ１１０について、左右２本の高力ボルト１１１を用いる。このた
め、継ぎ天井梁１２１の長手方向に剛接合されるとともにこれと水平方向で直交する方向
にも剛接合され、全体として略完全な剛接合となる。高力ボルト１１１としては、トルシ
ア形、六角ボルト形等を採用できる。
【０１０２】
相対応する柱省略建物ユニット１２０Ｃと柱省略建物ユニット１２０Ｄの間でも、上述
の建物ユニット１２０Ａと建物ユニット１２０Ｂの間におけると同様に、相対する継ぎ天
井梁１２１のエンドプレート１２２同士を、スペーサ１１０とともに、高力ボルト１１１
で剛接合する。
【０１０３】
相対応する建物ユニット１２０Ａと建物ユニット１２０Ｂ、建物ユニット１２０Ｃと建
物ユニット１２０Ｄの間で、相対する継ぎ天井梁１２１のエンドプレート１２２同士が接
合されるとき、各建物ユニット１２０の柱省略コーナー部には仮柱１２４が設置される。
そして、相対する継ぎ天井梁１２１のエンドプレート１２２同士が接合された後、仮柱１
２４が取外される。
【０１０４】
本実施例によれば以下の作用効果を奏する。
(a)相隣る建物ユニット１２０のそれぞれにおいて柱省略コーナー部に交差する継ぎ天
井梁１２１同士を接合することにて、それらの継ぎ天井梁１２１を両建物ユニット１２０
に渡って連続する長尺梁の如くに一本化した。従って、建物ユニット１２０とは別個の長
尺梁を用いることなく、柱省略したユニット建物１Ａを補強でき、材料の管理性、施工性
が良い。
【０１０５】
(b)建物ユニット１２０を構成している天井梁２３の一部である継ぎ天井梁１２１その
ものにより、ユニット建物１Ａを補強でき、建物ユニット１２０の周辺に別個の補強部材
を添設する必要がない。建物ユニット１２０の側傍に他の建物ユニット２０を設置する場
合にも、他の建物ユニット２０の間に補強部材のための設置間隙の如くを設ける必要がな
い。
【０１０６】
(c)ユニット建物１Ａの柱省略接合部に交差して該ユニット建物１Ａを補強する継ぎ天
井梁１２１は、柱省略による強度低下を補うに足る程度に断面強度を高くし、他の天井梁
２３の断面強度は標準レベルに設定することにより、建物ユニット１２０の全ての天井梁
２３の断面強度をそれぞれに必要十分なものとし、構造強度の経済を図ることができる。
【０１０７】
(d)相隣る建物ユニット１２０の継ぎ天井梁１２１のエンドプレート１２２同士を、ス
ペーサ１１０を介して、高力ボルト１１１で剛接合することにより、継ぎ天井梁１２１同
士を簡易に接合できるし、ユニット建物１Ａの寸法精度を向上できる。
【０１０８】
(e)建物ユニット１２０の柱省略コーナー部に設けた仮柱１２４は、該建物ユニット１
２０の工場製造段階、輸送保管段階を経た現地据付け後、継ぎ天井梁１２１の接続完了ま
で取外されない。従って、継ぎ天井梁１２１の接続時の建物ユニット１２０の強度を低下
せしめることがなく、施工段階の建物強度も十分に確保でき、施工性は良い。
【０１０９】
（実施例２）（図２７）
図２７のユニット建物１Ｂは、その一部を構成する２個の下階建物ユニット１２０がそ
れらの上に搭載される上階建物ユニット３０とともに、大吹抜け空間を形成するものであ
る。
【０１１０】
実施例２で用いられる柱省略建物ユニット１２０が実施例１の柱省略建物ユニット１２
０と異なる点は、標準建物ユニット２０の４本の柱２１のうちの桁方向にて相隣る２本の
柱２１を省略し、妻方向に沿う２本の天井梁２３をともに継ぎ天井梁１２１とし、継ぎ天
井梁１２１に交差する桁方向の天井梁２３を仮梁１２５とし、仮梁１２５をボルト、ピン
等の着脱手段により継ぎ天井梁１２１の自由端部に着脱自在に結合し、切除可能にしたこ
とにある。
【０１１１】
ユニット建物１Ｂにあっては、図２７（Ａ）に示す如く、下階部分の一部にて、２個の
柱省略建物ユニット１２０（１２０Ａ、１２０Ｂ）のそれぞれに定めた各２個の柱省略コ
ーナー部を柱省略接合部２、３にて互いに突き合せ配置する。
【０１１２】
柱省略建物ユニット１２０Ａと柱省略建物ユニット１２０Ｂの間で、図２７（Ｂ）に示
す如く、実施例１におけると同様に、相対する継ぎ天井梁１２１のエンドプレート１２２
同士を接合した後、仮柱１２４を取外し、仮梁１２５を切除する（単に取外す）。
【０１１３】
そして、柱省略建物ユニット１２０の上部に、上階部分を構成する建物ユニット３０を
搭載する。上階建物ユニット３０は、下階建物ユニット１２０の上部に吹抜け空間を形成
するため、下階建物ユニット１２０の仮梁１２５に対応する部分の床梁２２を当初から設
けず、又は搭載後に切除される。
【０１１４】
ユニット建物１Ｂにあっては、継ぎ天井梁１２１により構造強度を確保しながら、下階
建物ユニット１２０から上階建物ユニット３０に渡る大吹抜け空間を形成できる。
【０１１５】
（実施例３）（図２８）
図２８のユニット建物１Ｃは、その一部を構成する２個の下階建物ユニット１２０がそ
れらの上に搭載される上階建物ユニット３０とともに、階段空間を形成するものである。
【０１１６】
実施例３で用いられる柱省略建物ユニット１０が実施例１の柱省略建物ユニット１２０
と異なる点は、継ぎ天井梁１２１に交差する桁方向の天井梁２３を、該継ぎ天井梁１２１
との交差部側の一部である仮梁１２６Ａと、その残部の部分梁１２６Ｂとからなるものに
したことにある。仮梁１２６Ａは継ぎ天井梁１２１の自由端部と部分梁１２６Ｂの端部と
に、ボルト、ピン等の着脱手段により結合され、切除可能にされる。部分梁１２６Ｂの仮
梁１２６Ａに結合される端部は中柱１２７（不図示）に支持される。
【０１１７】
ユニット建物１Ｃにあっては、図２８（Ａ）に示す如く、下階部分の一部にて、２個の
柱省略建物ユニット１２０（１２０Ａ、１２０Ｂ）のそれぞれに定めた柱省略コーナー部
を柱省略接合部２にて互いに突き合せ配置する。
【０１１８】
柱省略建物ユニット１２０Ａと柱省略建物ユニット１２０Ｂの間で、図２８（Ｂ）に示
す如く、実施例１におけると同様に、相対する継ぎ天井梁１２１のエンドプレート１２２
同士を接合した後、仮柱１２４を取外し、仮梁１２６Ａを切除する（単に取外す）。
【０１１９】
そして、柱省略建物ユニット１２０の上部に、上階部分を構成する建物ユニット３０を
搭載する。上階建物ユニット３０は、下階建物ユニット１２０の仮梁１２６Ａ、部分梁１
２６Ｂに対応する床梁２２のうち、仮梁１２６Ａに対応する一部を当初から設けず、又は
搭載後に切除される。
【０１２０】
ユニット建物１Ｃにあっては、継ぎ天井梁１２１により構造強度を確保しながら、下階
建物ユニット１２０から上階建物ユニット３０に渡る階段空間を形成できる。
【０１２１】
（実施例４）（図２９、図３０）
図２９、図３０のユニット建物１Ｄは、ユニット建物１Ａにおけると同様に下階の４個
の柱省略建物ユニット１２０により柱省略した広い連続空間を形成することに加え、各柱
省略建物ユニット１２０の上に上階柱省略建物ユニット１３０を搭載し、上階の４個の柱
省略建物ユニット１３０によっても柱省略した広い連続空間を形成するようにしたもので
ある。
【０１２２】
従って、ユニット建物１Ｄでは、下階の柱省略接合部２の一方側の柱省略建物ユニット
１２０Ａの継ぎ天井梁１２１と、他方側の柱省略建物ユニット１２０Ｂの継ぎ天井梁１２
１とが相対するとともに、上階の柱省略接合部２の一方側の柱省略建物ユニット１３０Ａ
の継ぎ床梁１３１と、他方側の柱省略建物ユニット１３０Ｂの継ぎ床梁１３１とが相対し
、更に下階の柱省略建物ユニット１２０Ａ（１２０Ｂ）の継ぎ天井梁１２１と上階の柱省
略建物ユニット１３０Ａ（１３０Ｂ）の継ぎ床梁１３１が重ね配置される。
【０１２３】
そこで、上下階の柱省略接合部２の一方側の柱省略建物ユニット１２０Ａ、１３０Ａの
継ぎ天井梁１２１、継ぎ床梁１３１と、他方側の柱省略建物ユニット１２０Ｂ、１３０Ｂ
の継ぎ天井梁１２１、継ぎ床梁１３１は以下の如くに接合される。
【０１２４】
(1)柱省略建物ユニット１２０Ａの継ぎ天井梁１２１の下フランジの側から、柱省略建
物ユニット１２０Ｂの継ぎ天井梁１２１の下フランジの側に平板状の継ぎ材１４１と、Ｖ
字断面状の継ぎ材１４２を延在する。継ぎ材１４１は両継ぎ天井梁１２１の下フランジの
内面に添設される。継ぎ材１４２は両継ぎ天井梁１２１の下フランジとウエブ下部と下リ
ップの外面に添設される。
【０１２５】
継ぎ材１４１、１４２の一端側で、２本の高力ボルト１４３を継ぎ材１４１、１４２、
継ぎ天井梁１２１の下フランジのそれぞれに設けたボルト挿通孔に挿通し、高力ボルト１
４３の挿通端にナット１４３Ａを締め付ける。継ぎ材１４１、１４２の他端側でも、２本
の高力ボルト１４３を継ぎ材１４１、１４２、継ぎ天井梁１２１の下フランジのそれぞれ
に設けたボルト挿通孔に挿通し、高力ボルト１４３の挿通端にナット１４３Ａを締め付け
る。これにより、継ぎ材１４１、１４２の一端側を柱省略建物ユニット１２０Ａの継ぎ天
井梁１２１に剛接合し、継ぎ材１４１、１４２の他端側を柱省略建物ユニット１２０Ｂの
継ぎ天井梁１２１に剛接合する。
【０１２６】
(2)柱省略建物ユニット１２０Ａの継ぎ天井梁１２１の上フランジの側から、柱省略建
物ユニット１２０Ｂの継ぎ天井梁１２１の上フランジの側に平板状の継ぎ材１５１と、Ｕ
字断面状の継ぎ材１５２を延在する。継ぎ材１５１は両継ぎ天井梁１２１の上フランジの
内面に添設される。継ぎ材１５２は両継ぎ天井梁１２１の上フランジとウエブ上部と上リ
ップの外面に添設される。
【０１２７】
継ぎ材１５１、１５２の一端側で、２本の高力ボルト１５３を継ぎ材１５１、１５２、
継ぎ天井梁１２１の上フランジ、柱省略建物ユニット１３０Ａの継ぎ床梁１３１の下フラ
ンジ及びそのジョイントピース１３１Ｊ（継ぎ床梁１３１の柱省略端に短柱１３１Ｃを接
続するためのジョイントピース）、角座金１３１Ａのそれぞれに設けたボルト挿通孔に挿
通し、高力ボルト１５３の挿通端にナット１５３Ａを締め付ける。継ぎ材１５１、１５２
の他端側でも、２本の高力ボルト１５３を継ぎ材１５１、１５２、継ぎ天井梁１２１の上
フランジ、柱省略建物ユニット１３０Ｂの継ぎ床梁１３１の下フランジ及びそのジョイン
トピース１３１Ｊ（継ぎ床梁１３１の柱省略端に短柱１３１Ｃを接続するためのジョイン
トピース）、角座金１３１Ａのそれぞれに設けたボルト挿通孔に挿通し、高力ボルト１５
３の挿通端にナット１５３Ａを締め付ける。これにより、継ぎ材１５１、１５２の一端側
を柱省略建物ユニット１２０Ａ、１３０Ａの継ぎ天井梁１２１、継ぎ床梁１３１に剛接合
し、継ぎ材１５１、１５２の他端側を柱省略建物ユニット１２０Ｂ、１３０Ｂの継ぎ天井
梁１３１、継ぎ床梁１３１に剛接合する。
【０１２８】
尚、ユニット建物１Ｄにあっては、上階の柱省略接合部２の一方側の柱省略建物ユニッ
ト１３０Ａの継ぎ天井梁１３２と、他方側の柱省略建物ユニット１３０Ｂの継ぎ天井梁１
３２とを、上述(1)、(2)の継ぎ材１４１、１４２、１５１、１５２と同様の継ぎ材にて接
合する。
【０１２９】
本実施例によれば、相隣る建物ユニット１２０Ａ、１３０Ａと建物ユニット１２０Ｂ、
１３０Ｂの継ぎ天井梁１２１、１２１同士、継ぎ床梁１３１、１３１同士を、継ぎ材１４
１、１４２、１５１、１５２を介して、高力ボルト１４３、１５３で剛接合することによ
り、継ぎ天井梁１２１同士、継ぎ床梁１３１同士を簡易に接合できるし、ユニット建物１
Ｄの寸法精度を向上できる。
【０１３０】
図３１〜図３４は、構法Ｖにおいて、例えばユニット建物１Ａにおいて相対する継ぎ天
井梁１２１のエンドプレート１２２同士を接合するのに好適なガイドカラー２００とアタ
ッチメント２１０を示すものである。ガイドカラー２００とアタッチメント２１０は、相
対する継ぎ天井梁１２１のエンドプレート１２２に設けたボルト挿通孔１２２Ａ（スペー
サ１１０のボルト挿通孔１１０Ａも同じ）同士が位置ずれしているとき、以下の如くに位
置合せして高力ボルト１１１を挿通可能にする。
【０１３１】
尚、ガイドカラー２００は、図３１に示す如く、高力ボルト１１１のねじ長さより短尺
をなし、エンドプレート１２２のボルト挿通孔１２２Ａ、スペーサ１１０のボルト挿通孔
１１０Ａより小径の外径を備え、その基端側に六角ヘッド２０１を備え、その先端側に先
細りテーパ２０２を備え、高力ボルト１１１に螺着する貫通ねじ部を備える。アタッチメ
ント２１０は、図３２に示す如く、高力ボルト１１１の頭部１１１Ａより小径で高力ボル
ト１１１のねじ部は通すスリット２１１を備えるとともに、高力ボルト１１１のねじ部を
スリット２１１に通した状態で、高力ボルト１１１に螺着されているガイドカラー２００
における六角ヘッド２０１の外面に係合してガイドカラー２００を回り止めする回り止め
部２１２を備える。
【０１３２】
(1)高力ボルト１１１の先端を除く外周にガイドカラー２００を螺着する（図３３（Ａ
））。
(2)高力ボルト１１１の先端を相対する継ぎ天井梁１２１のエンドプレート１２２に設
けてあるボルト挿通孔１２２Ａに通す（図３３（Ｂ））。このとき、両エンドプレート１
２２のボルト挿通孔１２２Ａやスペーサ１１０のボルト挿通孔１１０Ａが位置ずれしてい
ると、ガイドカラー２００は１枚目のエンドプレート１２２のボルト挿通孔１２２Ａに入
るのみとなる。
【０１３３】
(3)エンドプレート１２２のボルト挿通孔１２２Ａから突出する高力ボルト１１１の先
端にナット１１２を締め込み、高力ボルト１１１及びガイドカラー２００を２枚のエンド
プレート１２２のボルト挿通孔１２２Ａ及びスペーサ１１０のボルト挿通孔１１０Ａに引
き込んで、それらボルト挿通孔１２２Ａ、１１０Ａを互いに同軸上に位置合せする（図３
３（Ｃ）〜（Ｅ））。
【０１３４】
(4)高力ボルト１１１からナット１１２を外す（図３（Ｆ））。
(5)ガイドカラー２００から高力ボルト１１１をゆるめ、高力ボルト１１１の頭部１１
１Ａと１枚目のエンドプレート１２２の表面の間にアタッチメント２１０を介装する。ア
タッチメント２１０の回り止め部２１２にガイドカラー２００の六角ヘッド２０１の外面
を係合し、ガイドカラー２００を回り止めする（図３４（Ａ）、（Ｂ））。
【０１３５】
(6)アタッチメント２１０に対して高力ボルト１１１を締め込み、アタッチメント２１
０を反力支点として、ガイドカラーをエンドプレート１２２のボルト挿通孔１２２Ａ及び
スペーサ１１０のボルト挿通孔１１０Ａから引き出す（図３４（Ｃ）、（Ｄ））。
【０１３６】
(7)ガイドカラー２００及びアタッチメント２１０を高力ボルト１１１とともにエンド
プレート１２２のボルト挿通孔１２２Ａから取外す（図３４（Ｅ））。
【０１３７】
(8)両エンドプレート１２２の位置合せ済のボルト挿通孔１２２Ａ及びスペーサ１１０
のボルト挿通孔１１０Ａに高力ボルト１１１（ガイドカラー２００から取外した高力ボル
ト１１１でも可）を挿通し、その挿通端にナット１１２を本締めし、相対する継ぎ天井梁
１２１のエンドプレート１２２同士を接合する。
【０１３８】
エンドプレート１２２（スペーサ１１０）の３位置以上にボルト挿通孔１２２Ａ（１１
０Ａ）が穿設されている場合には、少なくとも２位置、好適には対角線上の２位置にある
ボルト挿通孔１２２Ａ（１１０Ａ）において、ガイドカラー２００及びアタッチメント２
１０を用いて上述(1)〜(7)の位置合せ作業を行なえば、全部のボルト挿通孔１２２Ａ（１
１０Ａ）について位置合せされ得る。
【０１３９】
尚、ガイドカラー２００及びアタッチメント２１０を用いる複数個の相対応する孔につ
いての位置合せ作業は、構法Ｖに限らず、構法IIにおいて相対する２本の梁（プレートを
含んでも可）のそれぞれに設けるボルト挿通孔の位置合せ、構法IIIにおいて相並ぶ管柱
の相対する側壁のそれぞれに設けるボルト挿通孔の位置合せにおいても採用できる。
【０１４０】
本実施例によれば、ガイドカラー２００及びアタッチメント２１０を用いることにより
、相対する継ぎ天井梁１２１のボルト挿通孔１２２Ａの位置ずれを矯正し、それらボルト
挿通孔１２２Ａを容易に位置合せし、高力ボルト１１１のそれらボルト挿通孔１２２Ａへ
の挿入を容易化し、それらの継ぎ天井梁１２１を簡易に接合できる。
【０１４１】
また、相対する継ぎ天井梁１２１の間にスペーサ１１０を挟む場合にも、それら継ぎ天
井梁１２１とスペーサ１１０のそれぞれに設けたボルト挿通孔１２２Ａ、１１０Ａを容易
に位置合せできる。
【０１４２】
以上、本発明の実施例を図面により詳述したが、本発明の具体的な構成はこの実施例に
限られるものではなく、本発明の要旨を逸脱しない範囲の設計の変更等があっても本発明
に含まれる。例えば、本発明の建物ユニットは、３個以上の柱省略建物ユニットの柱省略
コーナー部を柱省略接合部にて互いに突き合せ接合するものでも良い。
【図面の簡単な説明】
【０１４３】
【図１】図１はユニット建物を示す斜視図である。
【図２】図２はユニット建物を示す模式斜視図である。
【図３】図３は建物ユニットを示す斜視図である。
【図４】図４は構法Ｉが適用された建物ユニットを示す模式正面図である。
【図５】図５は構法Ｉの具体的構造を示す断面図である。
【図６】図６は構法IIが適用されたユニット建物を示す模式正面図である。
【図７】図７は構法IIの具体的構造を示し、（Ａ）は正面図、（Ｂ）は断面図である。
【図８】図８は構法IIの梁の剛性強化原理を示し、（Ａ）は梁の変形状態を示す模式図、（Ｂ）は梁単位モデルを示す模式図、（Ｃ）はラーメン構造体モデルを示す模式図である。
【図９】図９は構法IIのユニットフレームの剛性強化原理を示し、（Ａ）は梁の変形状態を示す模式図、（Ｂ）はラーメン構造体モデルを示す模式図である。
【図１０】図１０は相隣る建物ユニットの構法IIIによる接合構造を示す模式図である。
【図１１】図１１は図１０の要部を示す断面図である。
【図１２】図１２は建物ユニットの接合例を示す模式図である。
【図１３】図１３は構法IIIの変形例を示し、（Ａ）は下階建物ユニットの接合部を示す平面図、（Ｂ）は（Ａ）のＢ−Ｂ線に沿う断面図である。
【図１４】図１４は孔あきスペーサを示す斜視図である。
【図１５】図１５は構法IIIの変形例を示し、（Ａ）は下階建物ユニットの接合部を示す平面図、（Ｂ）は（Ａ）のＢ−Ｂ線に沿う断面図である。
【図１６】図１６は構法IIIの変形例を示し、（Ａ）は下階建物ユニットの接合部を示す平面図、（Ｂ）は（Ａ）のＢ−Ｂ線に沿う断面図である。
【図１７】図１７は構法IVが適用された建物ユニットを示し、（Ａ）は最下階建物ユニットを示す正面図、（Ｂ）は上階建物ユニットを示す正面図である。
【図１８】図１８は構法IVのフレームの剛性強化原理を示す模式図である。
【図１９】図１９は構法IVのフレームの剛性強化例を示す模式図である。
【図２０】図２０は構法IVの斜材取付例を示す正面図である。
【図２１】図２１は斜材の下端取付部を示し、（Ａ）は正面図、（Ｂ）は断面図である。
【図２２】図２２は斜材の上端部が取付けられる天井梁中間部を示す断面図である。
【図２３】図２３は構法Ｖに係る実施例１のユニット建物を示し、（Ａ）は継ぎ天井梁による補強前の模式平面図、（Ｂ）は継ぎ天井梁による補強後の模式平面図、（Ｃ）は（Ｂ）の模式側面図である。
【図２４】図２４は両建物ユニットの接合状態を示す平面図である。
【図２５】図２５は接合前の両建物ユニットを示す正面図である。
【図２６】図２６は両建物ユニットの接合部を示し、（Ａ）は梁のリップ部を省略した状態の正面図、（Ｂ）は側面図である。
【図２７】図２７は構法Ｖに係る実施例２のユニット建物を示し、（Ａ）は継ぎ天井梁による補強前の模式平面図、（Ｂ）は継ぎ天井梁による補強後の模式平面図である。
【図２８】図２８は構法Ｖに係る実施例３のユニット建物を示し、（Ａ）は継ぎ天井梁による補強前の模式平面図、（Ｂ）は継ぎ天井梁による補強後の模式平面図である。
【図２９】図２９は構法Ｖに係る実施例４の建物ユニットの接合状態を示す正面図である。
【図３０】図３０は図２９の側面図である。
【図３１】図３１は構法Ｖで用いるガイドカラーを示す斜視図である。
【図３２】図３２は構法Ｖで用いるアタッチメントを示す斜視図である。
【図３３】図３３は構法Ｖにおけるガイドカラー引き込み手順を示す模式図である。
【図３４】図３４は構法Ｖにおけるガイドカラー引き出し手順を示す模式図である。
【符号の説明】
【０１４４】
１Ａ〜１Ｄ  ユニット建物
２、３  柱省略接合部
２０  建物ユニット
２１  柱
２２  床梁
２３  天井梁
１１０  スペーサ
１１１  高力ボルト
１２０  柱省略建物ユニット
１２１  継ぎ天井梁
１２２  エンドプレート
１２４  仮柱
１２５  仮梁
１２６Ａ  仮梁
１２６Ｂ  部分梁
１４１、１４２、１５１、１５２  継ぎ材
２００  ガイドカラー
２１０  アタッチメント
【図１】
2005248689.tif 000003
【図２】
2005248689.tif 000004
【図３】
2005248689.tif 000005
【図４】
2005248689.tif 000006
【図５】
2005248689.tif 000007
【図６】
2005248689.tif 000008
【図７】
2005248689.tif 000009
【図８】
2005248689.tif 000010
【図９】
2005248689.tif 000011
【図１０】
2005248689.tif 000012
【図１１】
2005248689.tif 000013
【図１２】
2005248689.tif 000014
【図１３】
2005248689.tif 000015
【図１４】
2005248689.tif 000016
【図１５】
2005248689.tif 000017
【図１６】
2005248689.tif 000018
【図１７】
2005248689.tif 000019
【図１８】
2005248689.tif 000020
【図１９】
2005248689.tif 000021
【図２０】
2005248689.tif 000022
【図２１】
2005248689.tif 000023
【図２２】
2005248689.tif 000024
【図２３】
2005248689.tif 000025
【図２４】
2005248689.tif 000026
【図２５】
2005248689.tif 000027
【図２６】
2005248689.tif 000028
【図２７】
2005248689.tif 000029
【図２８】
2005248689.tif 000030
【図２９】
2005248689.tif 000031
【図３０】
2005248689.tif 000032
【図３１】
2005248689.tif 000033
【図３２】
2005248689.tif 000034
【図３３】
2005248689.tif 000035
【図３４】
2005248689.tif 000036